(57)【要約】【課題】サイレンサに直接的に取り付けることができるクリップを提供することである。【解決手段】クリップ４は、ワイヤハーネス３を支持するための当接部５と、クリップ本体部１１と、パンタグラフ状に伸縮変形する脚部１２とを備える。サイレンサ１の穴部６の縮小部７に、クリップ４のクリップ本体部１１を配置し、同じく穴部６の拡大部８に、クリップ４の脚部１２を配置する。この状態で、クリップ４を押圧し、サイレンサ１を弾性変形させて脚部１２を縮長変形させることにより、当接部５と脚部１２の一対の第１脚部単体２１ａ，２１ｂで、穴部６の縮小部７の内周縁を挟み込む。【選択図】図１
2012193830.tif 000002
【特許請求の範囲】
【請求項１】
ベース部材の上に弾性変形自在な軟質材よりなるサイレンサを配置し、前記サイレンサに設けた穴部にクリップを取り付け、前記クリップによって前記サイレンサの前記ベース部材とは反対側の面である表面側に被取付物を支持する取付け構造であって、
前記サイレンサの穴部には、前記サイレンサの裏面側の穴形状に比べて表面側の穴形状が小さくなる縮小部と、前記縮小部に隣接する前記サイレンサの裏面側に、穴形状が前記縮小部よりも大きくなる拡大部が設けられ、
前記クリップは、前記穴部に挿入されるクリップ本体部と、前記クリップ本体部が前記穴部に挿入されたときに、前記サイレンサの表面に接する当接部と、前記クリップ本体部から前記ベース部材の側へ延設されるパンタグラフ状の伸縮部材で構成した脚部と、を備え、
前記脚部は、前記クリップ本体部が前記穴部に挿入されて前記穴部の縮小部に配置されたときにその穴部の拡大部に収納され、パンタグラフ状に折り畳まれたときに、前記クリップ本体部に形成した係止部と係止して、折畳み状態を保持する係合部が設けられ、
前記クリップは、前記当接部と折畳み状態の前記脚部とが前記穴部の縮小部を挟み込んで固定されることを特徴とするクリップとサイレンサとの取付け構造。
【請求項２】
前記脚部は、前記クリップ本体部に設けられた一対の第１ヒンジ部を介し、それらの先端部に対称形状に連結される一対の第１脚部単体と、
前記一対の第１脚部単体のそれぞれの先端部に、一対の第２ヒンジ部を介して対称形状に連結される一対の第２脚部単体と、
前記一対の第２脚部単体のそれぞれの先端部どうしを、一対の第３ヒンジ部を介して連結する連結板部と、
前記連結板部において、前記一対の第１脚部単体と前記一対の第２脚部単体との間に配置され、かつ前記クリップ本体部の係止部と対向するように設けられる係合部と、を備え、
前記脚部が折り畳まれるとき、前記一対の第１脚部単体及び前記一対の第２脚部単体は、前記第１ないし第３のヒンジ部を支点として互いに遠ざかるように回動しながら外方へ移動するとともに、前記連結板部に設けられた係合部が前記クリップ本体部に接近する方向に移動し、その係止部に入り込んで係止されることを特徴とする請求項１に記載のクリップとサイレンサとの取付け構造。
【請求項３】
前記クリップ本体部において、前記当接部の裏面から前記一対の第１ヒンジ部までの長さが、前記縮小部の深さよりも短くなっていて、
前記脚部が折り畳まれたとき、前記当接部と前記一対の第１脚部単体が前記縮小部の周縁部をそれぞれ押圧する状態で挟み込むことを特徴とする請求項２に記載のクリップとサイレンサとの取付け構造。
【請求項４】
前記一対の第１脚部単体における前記当接部の裏面と対向する側には、先端部が鋭角状の食込み部が設けられ、
前記脚部が折り畳まれたとき、前記食込み部が前記縮小部における裏面側の周縁部に食い込むことを特徴とする請求項２又は３に記載のクリップとサイレンサとの取付け構造。
【請求項５】
前記穴部は底面を有し、前記穴部の拡大部に収納された脚部は、その連結板部が前記底面に当たることによって折り畳まれることを特徴とする請求項２ないし４のいずれか１項に記載のクリップとサイレンサとの取付け構造。
【請求項６】
前記当接部が裏面側に向かって押し込まれることにより前記サイレンサが弾性変形し、前記脚部の連結板部が前記穴部の底面に当たって該脚部が折り畳まれることを特徴とする請求項５に記載のクリップとサイレンサとの取付け構造。
【請求項７】
前記当接部には、前記クリップ本体部の係止部と前記係合部との係止状態を解放するための工具が挿入される工具挿入穴が、前記表面側に開口して設けられていることを特徴とする請求項１ないし６のいずれか１項に記載のクリップとサイレンサとの取付け構造。
【請求項８】
ベース部材の上に弾性変形自在な軟質材よりなるサイレンサに設けられた穴部に、被取付物を支持するために前記サイレンサの表面側に取り付けられるクリップであって、
前記サイレンサの穴部で、裏面側の穴形状に比べて表面側の穴形状が小さい縮小部に挿入されるクリップ本体部と、
前記クリップ本体部が前記縮小部に挿入されたときに、前記サイレンサの表面に接する当接部と、
前記クリップ本体部から延設されるパンタグラフ状の伸縮部材で構成され、前記クリップ本体部が前記穴部の縮小部に挿入されたときに、前記サイレンサの穴部の裏面側に前記縮小部に隣接し、穴形状が前記縮小部よりも大きい拡大部に収納されるとともに、パンタグラフ状に折り畳まれたときに、前記クリップ本体部に形成した係止部と係止して、折畳み状態を保持する係合部が設けられた脚部と、を備え、
前記脚部が折り畳まれたとき、前記当接部と折畳み状態の前記脚部が前記穴部の縮小部を挟み込んで固定することを特徴とするクリップ。
【発明の詳細な説明】
【技術分野】
【０００１】
本発明は、ベース部材の上に弾性変形自在な軟質材よりなるサイレンサを配置し、前記サイレンサに設けた穴部にクリップを取り付け、前記クリップによって前記サイレンサの表面側に被取付物を支持するクリップとサイレンサとの取付け構造、及びクリップに関するものである。
【背景技術】
【０００２】
車両（例えば、自動車）のインストゥルメントパネルの内側部分には、フェルトや発泡ウレタン等の軟質材よりなるサイレンサ（吸音材）が取り付けられていて、例えばエンジンルームの騒音が車内に及ばないようにしている。
【０００３】
このサイレンサにワイヤハーネスを敷設する場合、サイレンサ用のクリップが使用される。従来のクリップ（例えば、特許文献１に開示されるクリップ）は、サイレンサを支持するベース部材に取り付けられたスタッドボルトを利用して固定したり、ベース部材に設けられた貫通孔を利用して固定したりしている。しかし、ベース部材にスタッドボルトを取り付けたり、貫通孔を設けたりしなければならないため、手間が掛かっている。
【先行技術文献】
【特許文献】
【０００４】
【特許文献１】特開平１０−９５３６９号公報
【発明の概要】
【発明が解決しようとする課題】
【０００５】
本発明は、上記した事情に鑑み、サイレンサに直接的に取り付けることができるクリップを提供することを課題としている。
【課題を解決するための手段】
【０００６】
上記した課題を解決するための本発明は、
ベース部材の上に弾性変形自在な軟質材よりなるサイレンサを配置し、前記サイレンサに設けた穴部にクリップを取り付け、前記クリップによって前記サイレンサの前記ベース部材とは反対側の面である表面側に被取付物を支持する取付け構造であって、
前記サイレンサの穴部には、前記サイレンサの裏面側の穴形状に比べて表面側の穴形状が小さくなる縮小部と、前記縮小部に隣接する前記サイレンサの裏面側に、穴形状が前記縮小部よりも大きくなる拡大部が設けられ、
前記クリップは、前記穴部に挿入されるクリップ本体部と、前記クリップ本体部が前記穴部に挿入されたときに、前記サイレンサの表面に接する当接部と、前記クリップ本体部から前記ベース部材の側へ延設されるパンタグラフ状の伸縮部材で構成した脚部と、を備え、
前記脚部は、前記クリップ本体部が前記穴部に挿入されて前記穴部の縮小部に配置されたときにその穴部の拡大部に収納され、パンタグラフ状に折り畳まれたときに、前記クリップ本体部に形成した係止部と係止して、折畳み状態を保持する係合部が設けられ、
前記クリップは、前記当接部と折畳み状態の前記脚部とが前記穴部の縮小部を挟み込んで固定されることを特徴とする。
【発明の効果】
【０００７】
本発明に係るクリップとサイレンサとの取付け構造は、上記したように構成されていて、サイレンサの穴部に挿入されたクリップの脚部がパンタグラフ状に変形することにより、クリップの当接部と脚部がサイレンサの穴部の周縁部を挟み込んで取り付けられる。即ち、クリップがサイレンサに直接的に取り付けられる。このため、サイレンサに穴部を設けるだけで済み、ベース部材に取付穴を設けたり、ベース部材にスタッドボルトを設けたりすることが不要となる。
【０００８】
前記脚部は、前記クリップ本体部に設けられた一対の第１ヒンジ部を介し、それらの先端部に対称形状に連結される一対の第１脚部単体と、
前記一対の第１脚部単体のそれぞれの先端部に、一対の第２ヒンジ部を介して対称形状に連結される一対の第２脚部単体と、
前記一対の第２脚部単体のそれぞれの先端部どうしを、一対の第３ヒンジ部を介して連結する連結板部と、
前記連結板部において、前記一対の第１脚部単体と前記一対の第２脚部単体との間に配置され、かつ前記クリップ本体部の係止部と対向するように設けられる係合部と、を備え、
前記脚部が折り畳まれるとき、前記一対の第１脚部単体及び前記一対の第２脚部単体は、前記第１ないし第３のヒンジ部を支点として互いに遠ざかるように回動しながら外方へ移動するとともに、前記連結板部に設けられた係合部が前記クリップ本体部に接近する方向に移動し、その係止部に入り込んで係止されるようにすることができる。
【０００９】
脚部が折り畳まれた状態で、連結板部に設けられた係合部が、クリップ本体部の係止部に係止されるため、脚部の折畳み状態が保持される。この脚部は、クリップ本体部と一体に成形することが可能であり、部品点数が増加することもない。
【００１０】
前記クリップ本体部において、前記当接部の裏面から前記一対の第１ヒンジ部までの長さが、前記縮小部の深さよりも短くなっていて、
前記脚部が折り畳まれたとき、前記当接部と前記一対の第１脚部単体が前記縮小部の周縁部をそれぞれ押圧する状態で挟み込む。
【００１１】
そして、前記一対の第１脚部単体における前記当接部の裏面と対向する側に、先端部が鋭角状の食込み部が設けられている場合、
前記脚部が折り畳まれたとき、前記食込み部が前記縮小部における裏面側の周縁部に食い込む。
【００１２】
クリップは、当接部と折畳み状態の脚部の第１脚部単体とが、サイレンサの穴部の縮小部の周縁部を押圧状態で挟み込むことによって、サイレンサに固定される。そして、第１脚部単体に設けられた食込み部が、縮小部の周縁部に食い込むことにより、より強固に取り付けられるため、クリップが外れにくくなる。
【００１３】
前記穴部は底面を有し、前記穴部の拡大部に収納された脚部は、その連結板部が前記底面に当たることによって折り畳まれるようにすることができる。この底面は、穴部が裏面側に開口している場合、ベース部材とすることができる。
【００１４】
このとき、前記当接部が裏面側に向かって押し込まれることにより前記サイレンサが弾性変形し、前記脚部の連結板部が前記穴部の底面に当たって該脚部が折り畳まれるようにすることができる。
【００１５】
前記当接部には、前記クリップ本体部の係止部と前記係合部との係止状態を解放するための工具が挿入される工具挿入穴が、前記表面側に開口して設けられていることが望ましい。これにより、クリップにワイヤハーネス等の被取付物が取り付けられていても、それを取り外すことなく（例えば、被取付物の取付け位置をずらすだけで）、作業者がクリップ本体部の係止部を視認することができるため、クリップをサイレンサから取り外す作業が容易である。即ち、クリップから被取付物を取り外さなくても、クリップをサイレンサから取り外すこともできる。また、取り外したクリップの再利用が可能になる。
【図面の簡単な説明】
【００１６】
【図１】クリップ４とサイレンサ１の正面図である。
【図２】クリップ４の斜視図である。
【図３】（ａ）はクリップ４の平面図、（ｂ）は同じく底面図、（ｃ）は同じく側面図である。
【図４】クリップ４のクリップ本体部１１と脚部１２とを、サイレンサ１の穴部６に挿入した状態の作用説明図である。
【図５】作業者がクリップ４を押圧して、脚部１２を縮長変形させる状態の作用説明図である。
【図６】クリップ４の当接部５と脚部１２がサイレンサ１の縮小部７の周縁部を挟み込む状態の作用説明図である。
【図７】クリップ４の突起部２６を押し下げて、脚部１２を伸長変形させる状態の作用説明図である。
【発明を実施するための形態】
【００１７】
以下、本発明の実施の形態について、詳細に説明する。図１はクリップ４とサイレンサ１の正面図、図２はクリップ４の斜視図、図３の（ａ）はクリップ４の平面図、（ｂ）は同じく底面図、（ｃ）は同じく側面図である。
【実施例１】
【００１８】
図１に示されるように、車両のインストゥルメントパネル（図示せず）の内側部分には、吸音のためのサイレンサ１がベース部材２に固着されている。このサイレンサ１にワイヤハーネス３を敷設する場合、予めクリップ４にワイヤハーネス３を支持させる。例えば、クリップ４の当接部５に設置したワイヤハーネス３を、図示しないテープ等によって当接部５と一体になるように巻き付ける。作業者は、この状態のクリップ４をサイレンサ１に取り付ける。
【００１９】
最初に、サイレンサ１について説明する。図１及び図２に示されるように、サイレンサ１は、フェルト等の弾性変形自在な軟質材よりなり、クリップ４が取り付けられる側（以下、表面側という。）と裏面側に開口する穴部６が設けられている。穴部６について説明する。この穴部６はクリップ４に対応する形状を有し、表面側に開口し、幅Ｗ１で深さがＤ１の穴形状を有する縮小部７と、裏面側に開口し、縮小部７よりも大きな幅Ｗ２と深さＤ２の穴形状を有する拡大部８とを備える。本実施例のサイレンサ１の穴部６を構成する縮小部７と拡大部８とはいずれも方形状で、平面視においてそれらの中心位置（図示せず）を同一として互いに相似形状となるように設けられ、それらの接合部分に段差面９が形成されている。このため、正面視における穴部６（縮小部７と拡大部８）は左右対称となっている。また、サイレンサ１の裏面側にはベース部材２が固着されているため、拡大部８の裏面側の開口はベース部材２によって閉塞されている。
【００２０】
次に、本実施例のクリップ４について説明する。図１ないし図３に示されるように、クリップ４は、クリップ本体部１１と、クリップ本体部１１の上部に設けられる当接部５と、クリップ本体部１１の下部から下方に延設され、パンタグラフ状に折畳み可能な脚部１２とを備える。当接部５は、短円柱形状の中央板部５ａと、中央板部５ａの側壁部から左右方向に対称形状で延設される一対の平板部５ｂとを備える。中央板部５ａには、その正面部からほぼ中心部にまで達する切欠き部１３が設けられている。また、一対の平板部５ｂの先端部は下方に向けて屈曲し、一対の平板部５ｂの底面（下端面）よりも下方に配置される各屈曲部１４が設けられていて、サイレンサ１に設置されたときにこの屈曲部１４がサイレンサ１の上面に食い込んで、クリップ４がずれることを防止する（後述）。
【００２１】
クリップ本体部１１は、横断面形状（クリップ４の高さ方向と直交する面の断面形状）が略Ｕ字状で、その内壁面が中央板部５ａの切欠き部１３の内壁面と面同一になるようにして、かつ中央板部５ａの底面から垂下する形態で設けられている。クリップ本体部１１の内壁面で囲まれた部分には、正面部が開口する空間部１５が形成されている。空間部１５の内幅は、切欠き部１３の内幅と等しい。また、クリップ本体部１１を構成する両サイドの壁部と、当接部５を構成する一対の平板部５ｂの底面との間には、各リブ１６が設けられている。そして、クリップ本体部１１の内壁面の下部には、その全周に亘って断面略Ｖ字状の溝部１７が設けられている。
【００２２】
クリップ本体部１１の下部はその上部よりも厚みが薄くなっていて、下端部の外壁面（各リブ１６のほぼ直下の部分）から、各ストッパ１８が設けられている。ストッパ１８の機能については後述する。
【００２３】
クリップ本体部１１の下部には、パンタグラフ状に折畳み可能な脚部１２が設けられている。脚部１２について説明する。脚部１２は、正面視において左右対称である。このため、正面視における脚部１２の右側部分を構成する部材に添字ａを付し、左側部分を構成する部材に添字ｂを付して説明する。脚部１２は、クリップ本体部１１における上部と下部の段付き部分の外壁面に設けられた一対の第１ヒンジ部１９ａ，１９ｂを介して連結される一対の第１脚部単体２１ａ，２１ｂと、一対の第１脚部単体２１ａ，２１ｂの先端部に、一対の第２ヒンジ部２２ａ，２２ｂを介して連結される一対の第２脚部単体２３ａ，２３ｂと、一対の第２脚部単体２３ａ，２３ｂの先端部どうしを連結するために、一対の第３ヒンジ部２４ａ，２４ｂを介して連結される連結板部２５と、連結板部２５における長さ方向のほぼ中央部に、クリップ本体部１１の空間部１５と対向配置されるように設けられる突起部２６と、を備えている。そして、図３に示されるように、脚部１２を構成する各部材（第１ヒンジ部１９ａ，１９ｂ、第１脚部単体２１ａ，２１ｂ、第２ヒンジ部２２ａ，２２ｂ、第２脚部単体２３ａ，２３ｂ、第３ヒンジ部２４ａ，２４ｂ及び連結部２５）の奥行き方向の長さは、当接部５における平板部５ｂの奥行き方向の長さとほぼ同一である。
【００２４】
図３の（ｂ）に示されるように、連結板部２５において、長さ方向のほぼ中央部分（狭幅部２７）の幅は狭くなっていて、かつ斜めに設けられている。狭幅部２７が設けられていることにより、連結板部２５の幅方向の長さが長くなったり、短くなったりする。即ち、連結板部２５の狭幅部２７は、脚部１２がパンタグラフ状に変形（縮長変形又は伸長変形）したときに、その変形に伴って生ずるねじれ等を連結板部２５の長さを変化させて吸収させることにより、脚部１２の変形がスムーズに行われるようにするという機能を有する。
【００２５】
図１及び図２に示されるように、突起部２６の基端部は左右に２つに分断されていて、その右側部分は、連結板部２５における狭幅部２７よりも右側部分の中央部寄りの端部に設けられ、その左側部分は、連結板部２５における狭幅部２７よりも左側部分の中央部寄りの端部に設けられている。そして、突起部２６の先端部（上端部）には、円錐台形状の挿入案内部２８が設けられている。また、突起部２６の右側部分及び左側部分における高さ方向の所定位置の外周面には、全周に亘って（ただし、分断された部分を除く。）係合突部２９が張り出して設けられている。係合突部２９は、クリップ本体部１１の溝部１７の断面形状に対応する断面略三角形状を呈し、溝部１７と係合したときに、突起部２６が空間部１５から抜け出ないようにするという機能を有する。
【００２６】
クリップ４の連結板部２５を、連結板部２５が下方にそれ以上の移動ができないような状態（例えば、図５に示されるように、連結板部２５をベース部材２に当接させた状態）にして、クリップ４の当接部５を下方に向かって押し込むと、脚部１２がパンタグラフ状に縮長変形し、当接部５と連結板部２５が相対的に接近する。このとき、突起部２６の挿入案内部２９が、クリップ本体部１１の空間部１５に入り込み、係合突部２９が溝部１７に入り込んで係合される。これにより、脚部１２が折り畳まれた状態が保持される。
【００２７】
図１及び図２に示されるように、一対の第１脚部単体２１ａ，２１ｂの外側面の先端部には、略三角柱形状の食込み部３１ａ，３１ｂがそれぞれ設けられている。クリップ４がサイレンサ１の穴部６に入り込んだ状態で、脚部１２がパンタグラフ状に縮長変形すると、一対の第１脚部単体２１ａ，２１ｂは、対応する第１ヒンジ部１９ａ，１９ｂを中心に回動しながら上方へ移動する。そして、一対の第１脚部単体２１ａ，２１ｂの先端部に設けられた食込み部３１ａ，３１ｂが、サイレンサ１の穴部６の段差面９に食い込む。これにより、クリップ４がサイレンサ１の穴部６から外れにくくなる。
【００２８】
脚部１２が伸長状態に配置されているとき、一対の第１脚部単体２１ａ，２１ｂと一対の第２脚部単体２３ａ，２３ｂは少し斜めに配置されている。即ち、一対の第２ヒンジ部２２ａ，２２ｂが、一対の第１ヒンジ部１９ａ，１９ｂ及び一対の第３ヒンジ部２３ａ，２３ｂよりも少し外側に突出している。換言すれば、一対の第１脚部単体２１ａ，２１ｂと一対の第２脚部単体２３ａ，２３ｂとが一直線状に配置されていない。この結果、伸長状態の脚部１２が縮長変形しようとするときに、脚部１２は必ず一対の第２ヒンジ部２２ａ，２２ｂがより外側に突出するように変形する。即ち、伸長状態の脚部１２が縮長変形しようとするときに、一対の第２ヒンジ部２２ａ，２２ｂが突起部２６に干渉することはない。
【００２９】
そして、図１に示されるように、脚部１２の伸長状態で、一対の第１脚部単体２１ａ，２１ｂの内側面は、クリップ本体部１１に設けられた各ストッパ１８と近接配置される。これにより、脚部１２の伸長状態において、一対の第１脚部単体２１ａ，２１ｂは常に斜めに、かつ鉛直線よりも外側に配置される。即ち、各ストッパ１８は、一対の第１脚部単体２１ａ，２１ｂが内側に回動しようとすることを阻止するという機能を有している。この結果、作業者は、伸長状態における脚部１２の形態を気にかけることなく、そのままサイレンサ１の穴部６に挿入することができる。
【００３０】
図１に示されるように、伸長状態の脚部１２の最大幅Ｗ３は、サイレンサ１の穴部６の縮小部７の内幅Ｗ１よりも僅かに小さい。図６に示されるように、縮長状態の脚部１２の最大幅Ｗ４は、サイレンサ１の穴部６の拡大部８の内幅Ｗ２よりも少し大きい。また、図１に示すクリップ本体部１１における当接部５の底面から一対の第１ヒンジ部１９ａ，１９ｂまでの高さＨ１は、サイレンサ１の穴部６の縮小部７の深さＤ１よりも少し小さい。そして、クリップ本体部１１における第１ヒンジ部１９ａ，１９ｂまでの高さＨ１と伸長状態の脚部１２の高さＨ２との和（Ｈ１＋Ｈ２）は、サイレンサ１の穴部６の深さ（Ｄ１＋Ｄ２）とほぼ等しい。
【００３１】
本発明のクリップ４の作用について説明する。図１に示されるように、クリップ４の当接部５には、図示しない固定手段（例えば、テープ等）によって１ないし複数本のワイヤハーネス３が固着されている。ワイヤハーネス３は、その長さ方向をクリップ４の当接部５の長手方向に沿わせて固着される。また、クリップ４の脚部１２は、通常の状態（脚部１２に何らの力も作用していない状態）で伸長状態を呈している。作業者は、クリップ４の脚部１２をサイレンサ１の穴部６に挿入する。
【００３２】
図４に示されるように、クリップ４の当接部５の屈曲部１４がサイレンサ１の上面に設置されると、クリップ本体部１１が穴部６の縮小部７に配置され、脚部１２が穴部６の拡大部８に配置される。この状態で、脚部１２の連結板部２５がベース部材２に近接配置される。
【００３３】
図５に示されるように、作業者は、指でクリップ４を下方に押し込む。クリップ４の当接部５がサイレンサ１を押圧し、サイレンサ１を弾性変形させる。これにより、サイレンサ１が圧縮されてその厚みが薄くなる。このときの脚部１２は、その連結板部２５の底面がベース部材２に当接し、それ以上下方へ移動することができなくなるため、パンタグラフ状に縮長変形する（折り畳まれる）。即ち、クリップ本体部１１と連結板部２５が相対的に接近するのに伴い、一対の第１脚部単体２１ａ，２１ｂが第２ヒンジ部２２ａ，２２ｂに拘束されながら、第１ヒンジ部１９ａ，１９ｂを中心に上方へ移動するように回動するとともに、一対の第２脚部単体２３ａ，２３ｂが第３ヒンジ部２４ａ，２４ｂに拘束されながら、第２ヒンジ部２２ａ，２２ｂを中心に上方へ移動するように回動する。一対の第１脚部単体２１ａ，２１ｂ及び一対の第２脚部単体２３ａ，２３ｂのそれそれの回動方向を矢印で示す。同時に、突起部２６が、クリップ本体部１１によって形成される空間部１５に進入する。突起部２６の挿入案内部（上端部）が先細形状となっているため、突起部２６は確実に空間部１５に進入する。
【００３４】
図６に示されるように、突起部２６の外周面に設けられた係合突部２９が、クリップ本体部１１の溝部１７に嵌合して係止されると、脚部１２は折り畳まれた状態を保持する。この状態で作業者がクリップ４を押し付けている力を解放すると、サイレンサ１は弾性復元する。そして、一対の第１脚部単体２１ａ，２１ｂがほぼ水平状態となり、サイレンサ１の穴部６の段差面９を押圧し、クリップ４の当接部５と一対の第１脚部単体２１ａ，２１ｂが穴部６の縮小部７の周縁部を挟み込む。そして、当接部５の各屈曲部１４がサイレンサ１の上面に食い込むとともに、各食込み部３１ａ，３１ｂが段差面９に食い込む。これにより、クリップ４は、サイレンサ１に強固に保持される。
【００３５】
サイレンサ１に保持されたクリップ４を取り外す場合、図７に示されるように、クリップ４の当接部５に取り付けられていたワイヤハーネス３を外し、例えばマイナスドライバ３２のような工具を使用して、クリップ４の突起部２６を押圧する。そして、クリップ本体部１１の溝部１７と脚部１２の突起部２６の係合突部２９との係止状態を解放する。クリップ４の当接部５に、工具挿入穴としての切欠き部１３がその表面側（上側）に開口し、かつクリップ本体部１１の空間部１５と連続して設けられているため、ワイヤハーネス３を外せば（少なくともワイヤハーネスの取付け位置をずらせば）、作業者は突起部２６を視認できる。このため、作業者が工具を使用して、突起部２６を押圧する操作を容易に行うことができる。これにより、溝部１７と突起部２６の係合突部２９との係止状態が解放され、脚部１２が折畳み状態から伸長変形し、脚部１２が伸長状態となる。作業者は、この状態のクリップ４をサイレンサ１の穴部６からそのまま引き抜くだけで、容易にクリップ４を取り外すことができる。
【００３６】
クリップ４を取り外すとき、クリップ４の突起部２６を押圧するだけで済むため、クリップ４が損傷することはない。これにより、取り外したクリップ４を再使用することができる。また、取り外したクリップ４を破棄する場合であっても、その処理が容易である。さらに、サイレンサ１の側にクリップ４が残ることもないので、サイレンサ１も再利用することができる。
【００３７】
図１及び図２に示されるように、本実施例の穴部６の縮小部７は、クリップ４の脚部１２を挿通させることができるように、伸長状態における脚部１２の平面形状（投影面形状）よりも少し大きな方形状であり、同じく拡大部８は、縮小部７よりも大きな方形状である。これにより、図６に示されるように、穴部６の拡大部８に配置され、パンタグラフ状に縮長変形されて横方向（水平方向）に伸長された脚部１２が、当接部５と協働して縮小部７を挟み込むことができる。しかも、挟込み状態の脚部１２が、穴部６から外れにくくなるという効果が奏される。しかし、上記の要件を満たすのであれば、穴部６の縮小部７と拡大部８の平面形状が方形である必要はなく、例えば円形状（楕円形状を含む。）であってもよい。
【産業上の利用可能性】
【００３８】
本発明のクリップは、弾性変形自在な軟質材よりなるサイレンサに被取付物（例えばワイヤハーネス）を取り付けるためのクリップとして利用することができる。
【符号の説明】
【００３９】
１  サイレンサ
２  ベース部材
３  ワイヤハーネス（被取付物）
４  クリップ
５  当接部
６  穴部
７  縮小部
８  拡大部
９  段差面
１１  クリップ本体部
１２  脚部
１３  切欠き部（工具挿入穴）
１４  空間部
１６  溝部（係止部）
１９ａ，１９ｂ  第１ヒンジ部
２１ａ，２１ｂ  第１脚部単体
２２ａ，２２ｂ  第２ヒンジ部
２３ａ，２３ｂ  第２脚部単体
２４ａ，２４ｂ  第３ヒンジ部
２５  連結板部
２８ａ，２８ｂ  食込み部
２９  係合突部（係合部）
３２  マイナスドライバ（工具）
【図１】
2012193830.tif 000003
【図２】
2012193830.tif 000004
【図３】
2012193830.tif 000005
【図４】
2012193830.tif 000006
【図５】
2012193830.tif 000007
【図６】
2012193830.tif 000008
【図７】
2012193830.tif 000009